【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
同時記録モードにおいて第１の記録媒体と第２の記録媒体に同時に記録される複数の動画データの条件を、ユーザからの指示に応じて独立に設定する設定手段と、
前記設定手段により設定された条件に応じて、所定の圧縮方式により動画データを圧縮し、前記同時記録モードにおいて前記第１の記録媒体と前記第２の記録媒体に記録される、それぞれが前記所定の圧縮方式により圧縮された複数の動画データを生成する処理手段と、
前記同時記録モードにおいて前記第１の記録媒体と前記第２の記録媒体に同時に記録された複数の動画データの条件が同じか否かを識別するための識別情報を生成する生成手段と、
前記同時記録モードにおいて、前記処理手段により生成された前記複数の動画データを前記第１の記録媒体と前記第２の記録媒体に同時に記録し、前記生成手段により生成された識別情報を前記第１の記録媒体と前記第２の記録媒体とに記録する記録手段と、を備えることを特徴とする記録装置。
【請求項２】
前記同時記録モードにおいて前記第１の記録媒体と前記第２の記録媒体に記録される複数の動画データの条件が異なる場合、前記生成手段は、前記第１の記録媒体と前記第２の記録媒体に記録される複数の前記識別情報それぞれにおける所定の部分を互いに異なる値に設定することを特徴とする請求項１に記載の記録装置。
【請求項３】
前記同時記録モードにおいて前記第１の記録媒体と前記第２の記録媒体に記録される複数の情報データの条件が異なる場合、前記生成手段は、前記第１の記録媒体と前記第２の記録媒体に記録される複数の前記識別情報の前記所定の部分以外を同じ値に設定することを特徴とする請求項２に記載の記録装置。
【請求項４】
前記条件は、動画データのデータレート、フレームの画素数の少なくともいずれかを含むことを特徴とする請求項１から３のいずれか１項に記載の記録装置。
【請求項５】
同時記録モードにおいて第１の記録媒体と第２の記録媒体に同時に記録される複数の動画データの条件を、ユーザからの指示に応じて独立に設定する設定手段と、
撮像手段により取得された動画データを前記設定手段により設定された条件に応じて処理し、前記同時記録モードにおいて前記第１の記録媒体と前記第２の記録媒体に記録される複数の動画データを生成する処理手段と、
前記同時記録モードにおいて前記第１の記録媒体と前記第２の記録媒体に同時に記録される複数の動画データの条件が同じであるか否かを判別し、前記同時記録モードにおいて前記第１の記録媒体と前記第２の記録媒体に同時に記録される複数の動画データの条件が同じであるか否かを識別するための識別情報を生成する生成手段であって、ｎビットの第１の情報における第１の部分と第２の情報とに第１の論理演算を行い、前記第１の情報における前記第１の部分以外の部分と、前記第１の論理演算の結果とを含む、ｎビットの前記識別情報を生成し、前記判別の結果に応じて前記第２の情報の値を変更する生成手段と、
前記同時記録モードにおいて、前記処理手段により生成された前記複数の動画データを、前記第１の記録媒体と前記第２の記録媒体に同時に記録し、前記生成手段により生成された複数の前記識別情報を、前記第１の記録媒体と前記第２の記録媒体とに記録する記録手段とを備えることを特徴とする記録装置。
【請求項６】
前記生成手段は、前記第１の情報における第２の部分と第３の情報との第２の論理演算と、前記第１の情報における第３の部分と第４の情報との第３の論理演算を行い、前記第１の論理演算の結果と、前記第２の論理演算の結果と、前記第３の論理演算の結果と、前記第１の情報における前記第１の部分、前記第２の部分、及び前記第３の部分とは異なる第４の部分と、を含む、ｎビットの前記識別情報を生成することを特徴とする請求項５に記載の記録装置。
【請求項７】
前記生成手段は、前記判別の結果にかかわらず前記第３の情報と前記第４の情報を決定することを特徴とする請求項６に記載の記録装置。
【請求項８】
前記第１の情報は前記記録装置のシリアル番号に係る情報であり、前記第３の情報は記録日に関する情報であり、前記第４の情報は記録回数に関する情報であることを特徴とする請求項６または７に記載の記録装置。
【請求項９】
前記記録手段は、前記動画データを含むファイルを記録し、前記動画データの記録開始から記録停止までの間に生成される複数の前記ファイルに対し同じ前記識別情報を付加することを特徴とする請求項１から８のいずれか１項に記載の記録装置。
【請求項１０】
撮像手段を備え、
前記処理手段は、前記撮像手段により得られた動画データを前記設定手段により設定された条件に応じて処理し、前記同時記録モードにおいて前記第１の記録媒体と前記第２の記録媒体に記録される複数の動画データを生成することを特徴とする請求項１から９のいずれか１項に記載の記録装置。
【請求項１１】
記録装置の制御方法であって、
設定手段が、同時記録モードにおいて第１の記録媒体と第２の記録媒体に同時に記録される複数の動画データの条件を、ユーザからの指示に応じて独立に設定する設定工程と、
処理手段が、前記設定工程で設定された条件に応じて、所定の圧縮方式により動画データを圧縮し、前記同時記録モードにおいて前記第１の記録媒体と前記第２の記録媒体に記録される、それぞれが前記所定の圧縮方式により圧縮された複数の動画データを生成する処理工程と、
生成手段が、前記同時記録モードにおいて前記第１の記録媒体と前記第２の記録媒体に同時に記録された複数の動画データの条件が同じか否かを識別するための識別情報を生成する生成工程と、
記録手段が、前記同時記録モードにおいて、前記処理工程で生成された前記複数の動画データを前記第１の記録媒体と前記第２の記録媒体に同時に記録し、前記生成工程で生成された識別情報を前記第１の記録媒体と前記第２の記録媒体とに記録する記録工程と、を有することを特徴とする記録装置の制御方法。
【請求項１２】
設定手段が、同時記録モードにおいて第１の記録媒体と第２の記録媒体に同時に記録される複数の動画データの条件を、ユーザからの指示に応じて独立に設定する設定工程と、
処理手段が、撮像手段により取得された動画データを前記設定工程で設定された条件に応じて処理し、前記同時記録モードにおいて前記第１の記録媒体と前記第２の記録媒体に記録される複数の動画データを生成する処理工程と、
生成手段が、前記同時記録モードにおいて前記第１の記録媒体と前記第２の記録媒体に同時に記録される複数の動画データの条件が同じであるか否かを判別し、前記同時記録モードにおいて前記第１の記録媒体と前記第２の記録媒体に同時に記録される複数の動画データの条件が同じであるか否かを識別するための識別情報を生成する生成工程であって、ｎビットの第１の情報における第１の部分と第２の情報とに第１の論理演算を行い、前記第１の情報における前記第１の部分以外の部分と、前記第１の論理演算の結果とを含む、ｎビットの前記識別情報を生成し、前記判別の結果に応じて前記第２の情報の値を変更する生成工程と、
前記同時記録モードにおいて、前記処理工程で生成された前記複数の動画データを、前記第１の記録媒体と前記第２の記録媒体に同時に記録し、前記生成工程により生成された複数の前記識別情報を、前記第１の記録媒体と前記第２の記録媒体とに記録する記録手段とを備えることを特徴とする記録装置の制御方法。
【請求項１３】
コンピュータに、請求項１１または１２に記載の記録装置の制御方法の各工程を実行させるためのプログラム。
【手続補正２】
【補正対象書類名】明細書
【補正対象項目名】０００７
【補正方法】変更
【補正の内容】
【０００７】
上記の目的を達成するための本発明の一態様による記録装置は以下の構成を備える。すなわち、
同時記録モードにおいて第１の記録媒体と第２の記録媒体に同時に記録される複数の動画データの条件を、ユーザからの指示に応じて独立に設定する設定手段と、
前記設定手段により設定された条件に応じて、所定の圧縮方式により動画データを圧縮し、前記同時記録モードにおいて前記第１の記録媒体と前記第２の記録媒体に記録される、それぞれが前記所定の圧縮方式により圧縮された複数の動画データを生成する処理手段と、
前記同時記録モードにおいて前記第１の記録媒体と前記第２の記録媒体に同時に記録された複数の動画データの条件が同じか否かを識別するための識別情報を生成する生成手段と、
前記同時記録モードにおいて、前記処理手段により生成された前記複数の動画データを前記第１の記録媒体と前記第２の記録媒体に同時に記録し、前記生成手段により生成された識別情報を前記第１の記録媒体と前記第２の記録媒体とに記録する記録手段と、を備える。